(57)【要約】    【課題】  構造がシンプルで、しかも全体のデザインが自由にでき、さらには取付けが簡単でありながら、紛失しにくい構造の飾りボタンを提供する。    【解決手段】  表面に装飾が施され、裏面が凹状に形成され、凹状裏面の内縁部に縦壁面部分(22)が内縁に沿って連続して形成され、縦壁面部分に断面凹状又は断面凸状の曲面部分(23)が連続して又は間欠的に形成されたボタン頭部(20)と、ボタン頭部の凹状裏面に嵌入され得る形状をなし、中央に糸止め穴(31)が形成され、外縁部に縦壁面部分(32)が外縁に沿って連続して形成され、縦壁面部分に断面凸状又は断面凹状の曲面部分(33)が連続して又は間欠的に形成されたボタン本体とを備え、ボタン頭部の凹状裏面にボタン本体が嵌入されたときに両者の縦壁面部分及び曲面部分を相互に面密着させる。【選択図】  図１
2008253616.tif 000002
【特許請求の範囲】
【請求項１】
表面に装飾が施され、裏面が凹状に形成され、該凹状裏面の内縁部に縦壁面部分が内縁に沿って連続して形成されるとともに、該縦壁面部分に断面凹状又は断面凸状の曲面部分が内縁に沿って連続して又は間欠的に形成されたボタン頭部と、
該ボタン頭部の凹状裏面に嵌入され得る形状をなし、中央に糸止め穴が形成され、外縁部に縦壁面部分が外縁に沿って連続して形成されるとともに、該縦壁面部分に断面凸状又は断面凹状の曲面部分が外縁に沿って連続して又は間欠的に形成されたボタン本体と、
を備え、上記ボタン頭部の凹状裏面に上記ボタン本体が嵌入されたときに上記ボタン頭部とボタン本体の縦壁面部分及び曲面部分が相互に面密着されるようになしたことを特徴とする飾りボタン。
【請求項２】
上記ボタン頭部の凹状裏面の内面とボタン本体の外縁頂部とには上記ボタン頭部の凹状裏面に上記ボタン本体が嵌入されたときに相互に面密着し得る平面部分が形成されている請求項１記載の飾りボタン。
【請求項３】
表面に装飾が施され、外縁部に縦壁面部分が外縁に沿って連続して形成されるとともに、該縦壁面部分に断面凹状又は断面凸状の曲面部分が外縁に沿って連続して又は間欠的に形成されたボタン頭部と、
該ボタン頭部が嵌入され得る凹状をなし、中央に糸止め穴が形成され、上記凹状の内縁部に縦壁面部分が内縁に沿って連続して形成されるとともに、該縦壁面部分に断面凸状又は断面凹状の曲面部分が内縁に沿って連続して又は間欠的に形成されたボタン本体と、
を備え、上記ボタン本体の凹状部分に上記ボタン頭部が嵌入されたときに上記ボタン本体とボタン頭部の縦壁面部分及び曲面部分が相互に面密着されるようになしたことを特徴とする飾りボタン。
【請求項４】
上記ボタン頭部の外縁下端部とボタン本体の底部とには上記ボタン本体の凹状部分に上記ボタン頭部が嵌入されたときに相互に面密着し得る平面部分が形成されている請求項３記載の飾りボタン。
【発明の詳細な説明】
【技術分野】
【０００１】
この発明は飾りボタンに関し、特に構造がシンプルで、しかも全体のデザインが自由にでき、さらには取付けが簡単でありながら、紛失しにくい構造にしたボタンに関する。
【背景技術】
【０００２】
例えば、カフスボタンなどの装飾ボタンではユーザの嗜好に応じて多種多様なデザインが求められるが、このような多種多様なボタンを少しずつ製造するのは繁雑であるばかりでなく、コスト高を招来する。
【０００３】
これに対し、様々な装飾を施したボタン頭部を別体に製造し、ボタン頭部を規格寸法のボタン本体に交換可能に取付け、もってコスト高を招来することなく、多様なデザインに簡単かつ迅速に対応できるようにした飾りボタンが種々提案されている。
【０００４】
例えば、ボタン頭部、ボタン本体及び糸止め環の３部品で構成し、ボタン本体に糸止め環を挿通させ、糸止め環の先端部をボタン頭部の裏面に係止させて抜止めするようにした飾りボタンが知られている（特許文献１、特許文献２）。
【０００５】
また、ボタン頭部の裏面に糸止め環を形成し、ボタン本体に糸止め環を挿通させ、糸止め環をストッパー又は段部によって係止させて抜止めするようにした飾りボタンが知られている（特許文献３）。
【０００６】
さらに、ボタン頭部の裏面を凹状に形成し、凹状の周縁に凹溝を形成する一方、プレート状のボタン本体には糸止め穴を形成し、ボタン本体の外周縁をボタン頭部の凹溝に着脱可能に嵌合させるようにした飾りボタンが提案されている（特許文献４）。
【０００７】
【特許文献１】特開平１１−２２５８０７号公報
【特許文献２】特開平１１−２３５２０７号公報
【特許文献３】特許第２７２４３０４号公報
【発明の開示】
【発明が解決しようとする課題】
【０００８】
しかし、特許文献１〜３記載の飾りボタンではボタン裏面に糸止め環が突出しており、衣服の生地に馴染まず、飾りボタンの向きが不揃いになりやすい。
【０００９】
特許文献４記載の飾りボタンでは糸止め環がないので、不揃いの印象が少ないものの、衝撃でボタン頭部がボタン本体の凹溝から外れるおそれがあり、ユーザの知らないうちにボタン頭部を紛失しているおそれがあった。
【００１０】
本発明はかかる問題点に鑑み、構造がシンプルで、しかも全体のデザインが自由にでき、さらには取付けが簡単でありながら、紛失しにくいようにした飾りボタンを提供することを課題とする。
【課題を解決するための手段】
【００１１】
そこで、本発明に係る飾りボタンは、表面に装飾が施され、裏面が凹状に形成され、該凹状裏面の内縁部に縦壁面部分が内縁に沿って連続して形成されるとともに、該縦壁面部分に断面凹状又は断面凸状の曲面部分が連続して又は間欠的に形成されたボタン頭部と、該ボタン頭部の凹状裏面に嵌入され得る形状をなし、中央に糸止め穴が形成され、外縁部に縦壁面部分が外縁に沿って連続して形成されるとともに、該縦壁面部分に断面凸状又は断面凹状の曲面部分が連続して又は間欠的に形成されたボタン本体と、を備え、上記ボタン頭部の凹状裏面に上記ボタン本体が嵌入されたときに上記ボタン頭部とボタン本体の縦壁面部分及び曲面部分が相互に面密着されるようになしたことを特徴とする。
【００１２】
また、本発明に係る飾りボタンは、表面に装飾が施され、外縁部に縦壁面部分が外縁に沿って連続して形成されるとともに、該縦壁面部分に断面凹状又は断面凸状の曲面部分が連続して又は間欠的に形成されたボタン頭部と、該ボタン頭部が嵌入され得る凹状をなし、中央に糸止め穴が形成され、上記凹状の内縁部に縦壁面部分が内縁に沿って連続して形成されるとともに、該縦壁面部分に断面凸状又は断面凹状の曲面部分が連続して又は間欠的に形成されたボタン本体と、を備え、上記ボタン本体の凹状部分に上記ボタン頭部が嵌入されたときに上記ボタン本体とボタン頭部の縦壁面部分及び曲面部分が相互に面密着されるようになしたことを特徴とする。
【００１３】
本発明の特徴の１つはボタン頭部とボタン本体とを相互に嵌入させて両者の縦壁面部分と曲面部分とを面密着させるようにした点にある。
【００１４】
これにより、ボタン頭部に多少の衝撃が加わっても、ボタン頭部とボタン本体とが広い面積でもって密着されており、しかもボタン頭部がボタン本体から外れようとすると、ボタン頭部の曲面部分とボタン本体の曲面部分とが相互に乗り越える必要があるので、ボタン頭部がボタン本体から外れるおそれは極めて少なく、ユーザの知らないうちに装飾部分を紛失することはない。
【００１５】
また、ボタン本体を衣服に縫い止めた後、ボタン本体にボタン頭部を嵌合させればよいので、装飾の異なるボタン頭部を準備しておくと、ユーザの多種多様な要求や嗜好に容易に対応できる。
【００１６】
さらには、ボタン本体には規格品を使用することができる一方、ボタン本体の装飾のみを変更すればよいので、多種多様な装飾の飾りボタンを製造する場合のようにコスト高を招来することもない。
【００１７】
衝撃によってボタン頭部が外れて紛失するのを防止する上で、ボタン頭部とボタン本体とを相互に嵌入したときに面密着する平面部分を形成するのがよい。
【００１８】
即ち、ボタン頭部の凹状裏面の内面とボタン本体の外縁頂部とにはボタン頭部の凹状裏面にボタン本体が嵌入されたときに相互に面密着し得る平面部分を形成し、あるいはボタン頭部の外縁下端部とボタン本体の底部とにはボタン本体の凹状部分にボタン頭部が嵌入されたときに相互に面密着し得る平面部分を形成するのがよい。
【００１９】
ボタン頭部及びボタン本体の材質は特に限定されず、金属材料、プラスチック材料、石材、ガラス材料、複合材料など各種の材料を使用することができる。
【発明を実施するための最良の形態】
【００２０】
以下、本発明を図面に示す具体例に基づいて詳細に説明する。図１ないし図３は本発明に係る飾りボタンの好ましい実施形態を示す。図において、飾りボタン１０はボタン頭部２０とボタン本体３０とから構成され、ボタン頭部２０とボタン本体３０は適切な材料、例えば金属材料を用いて製作されている。
【００２１】
ボタン頭部２０は例えば平面円形状をなし、上面２４には装飾が施され、裏面は凹状をなし、凹状部分２１の内縁部には縦壁面部分２２が内縁に沿って連続してかつボタン本体３０の嵌入方向に切り立った形状に形成されるとともに、縦壁部分２２の上端部には断面円弧凹状の曲面部分２３が内縁に沿って連続して形成されている。
【００２２】
また、ボタン本体３０はボタン頭部２０の凹状部分２１に嵌入し得る形状に形成され、中央には４つの糸止め穴３１が形成され、又外縁部には縦壁面部分３２が外縁に沿って連続してかつボタン頭部２０への嵌入方向に切り立った形状に形成されるとともに、縦壁面部分３２の上端部には断面円弧凸状の曲面部分３３が外縁に沿って連続して形成されている。
【００２３】
さらに、ボタン頭部２０及びボタン本体３０の曲面部分２３、３３には平坦面（平面部分）２５、３５が連続して形成され、ボタン頭部２０とボタン本体３０とを相互に嵌入させたときに相互に面で密着するようになっている。
【００２４】
本例の飾りボタン１０を用いる場合、ボタン本体３０の糸止め穴３１に縫い糸を挿通させることによってボタン本体３０を衣類に縫合する。このとき、糸止め環を用いていないので、ボタン本体３０は安定した姿勢でもって衣類の生地に確実に縫合される。
【００２５】
次に、好みの装飾が施されたボタン頭部２０を選び、ボタン頭部２０の凹状部分２１にボタン本体３０を位置合わせし、両者を適切な力でもって押し込み、ボタン頭部２０とボタン本体３０とを相互に嵌入させる。
【００２６】
すると、ボタン本体３０の曲面部分３３は内側に変形しながらボタン頭部２０の縦壁部分２２を押し広げ、ボタン本体３０の曲面部分３３とボタン頭部２０の曲面部分２３とが相互に嵌合すると、両曲面部分３３、２３が面で密着し、同時にボタン本体３０及びボタン頭部２０の縦壁面部分３２、２２が面で密着し、さらにボタン本体３０及びボタン頭部２０の平坦面３５、２５が面で密着する。
【００２７】
このとき、ボタン本体３０には糸止め穴３１が形成されているので、ボタン本体３０にボタン頭部２０を嵌入させるときに両者の間のエアーが糸止め穴３１から抜けるので、スムースに嵌入することができる。
【００２８】
また、ボタン本体３０とボタン頭部２０は曲面部分３３、２３、縦壁面部分３２、２２及び平坦面３５、２５の３つの面部分で強固に密着しているので、ボタン頭部２０はボタン本体２０に強固に嵌合され、縦横斜めのいずれの方向から衝撃が加わってもボタン頭部２０が外れるおそれはない。
【００２９】
さらに、、糸止め環がないので、飾りボタン１０の姿勢は安定し、複数の飾りボタン１０が揃った印象を受け、デザイン性にも優れている。
【００３０】
図４ないし図６は第２の実施形態を示し、図において図１ないし図３と同一符号は同一又は相当部分を示す。本例ではボタン頭部２０’は例えば平面円形状をなし、上面２４’には装飾が施され、外縁部には縦壁面部分２２’が外縁に沿って連続してかつボタン本体３０’の嵌入方向に切り立った形状に形成されるとともに、縦壁部分２２’の直下には断面円弧凹状の曲面部分２３’が外縁に沿って連続して形成されている。
【００３１】
ボタン本体３０’はボタン頭部２０’が嵌入し得る凹状に形成され、中央には４つの糸止め穴３１’が形成され、又内縁部には縦壁面部分３２’が内縁に沿って連続してかつボタン頭部２０’の嵌入方向に切り立った形状に形成されるとともに、縦壁面部分３２’の直下には断面円弧凸状の曲面部分３３’が内縁に沿って連続して形成されている。
【００３２】
さらに、ボタン頭部２０’の下端面及びボタン本体３０’の底面には平坦面（平面部分）２５’、３５’が形成され、ボタン頭部２０’とボタン本体３０’とを相互に嵌入させたときに相互に面で密着するようになっている。
【００３３】
本例においても第１の実施形態と同様の作用効果を奏するので、その詳細な説明は省略する。
【００３４】
なお、上記の２つの例における曲面部分２３、２３’、３３、３３’の凹凸形状は逆となってもよい。
【図面の簡単な説明】
【００３５】
【図１】本発明に係る飾りボタンの好ましい実施形態を示す断面構成図である。
【図２】上記実施形態におけるボタン本体を示す平面図である。
【図３】上記実施形態を示す分解図である。
【図４】第２の実施形態を示す断面構成図である。
【図５】上記実施形態におけるボタン頭部及びボタン本体を示す平面図である。
【図６】上記実施形態を示す分解図である。
【符号の説明】
【００３６】
１０、１０’      飾りボタン
２０、２０’      ボタン頭部
２２、２２’      縦壁面部分
２３、２３’      曲面部分
２５、２５’      平坦面（平面部分）
３０、３０’      ボタン本体
３２、３２’      縦壁面部分
３３、３３’      曲面部分
３５、３５’      平坦面（平面部分）
【図１】
2008253616.tif 000003
【図２】
2008253616.tif 000004
【図３】
2008253616.tif 000005
【図４】
2008253616.tif 000006
【図５】
2008253616.tif 000007
【図６】
2008253616.tif 000008